(57)【要約】【課題】キャスタが接地した状態で確実に保持させる高所作業台を提供する。【解決手段】前側支持脚１２と梯子状の後側支持脚１３とで天板１１が支持され、前側支持脚１２の左右一対の支柱１６、１６と後側支持脚１３の左右一対の支柱３０、３０の下部に固定される固定片２０、３２と、キャスタ１４、１５のステム２１、３３とが、上部リンクアーム２２、３４及び下部リンクアーム２３、３５により連結される。上部リンクアーム２２、３４の上部が後方に揺動するとき、これが固定片２０、３２のストッパ２０ｂ、３２ｂに当たり、キャスタ１４、１５が接地可能位置に保持され、上部リンクアーム２２、３４の上部が前方に揺動するとき、キャスタ１４、１５が上方に移動して各支柱１６、３０が接地可能位置となる。【選択図】図１
0003185610.tif 000002
【実用新案登録請求の範囲】
【請求項１】
天板が上下方向の前側支持脚と梯子状の後側支持脚とに支持され、その前側支持脚及び後側支持脚の下部に上下動可能にキャスタが取り付けられた高所作業台であって、
前記前側支持脚が左右一対の支柱とその間に掛け渡される複数の横桟とを備え、前記後側支持脚が左右一対の支柱をその間に掛け渡される複数の踏桟とを備え、その前側支持脚及び後側支持脚の各支柱がその下部に固定される固定片と、その固定片に上下動可能に取り付けられる前記キャスタと、前記固定片に回動可能に取り付けられる上部リンクアームと、その上部リンクアームに上端部が連結され前記キャスタのステムに下端部が回動可能に取り付けられる下部リンクアームとを備え、
前記上部リンクアーム及び下部リンクアームは、前記キャスタのステムに沿って上下方向に並ぶ位置を基準として、その上部リンクアームの上部が前後方向に揺動可能となるように連結され、その上部リンクアームの上部が前後方向一方に揺動するとき、前記固定片に形成したストッパに前記上部リンクアームが当たり、前記キャスタが接地可能位置に保持され、前記上部リンクアームの上部が前後方向他方に揺動するとき前記キャスタが上方に移動して前記各支柱が接地可能位置となるようにした高所作業台。
【請求項２】
前記前側支持脚及び後側支持脚の各支柱のうち、左右方向同じ側の支柱の上部リンクアームが連結軸を介して連結され、その連結された上部リンクアームの上部のそれぞれが、前後方向の同じ側に揺動可能となるようにした請求項１に記載の高所作業台。
【請求項３】
前記後側支持脚の支柱の上部リンクアームにレバーが固定され、そのレバーが後方に揺動するとき、その上部リンクアームの上部が後方に揺動し、前記固定片のストッパに前記上部リンクアームが当たるようにした請求項１または２に記載の高所作業台。
【考案の詳細な説明】
【技術分野】
【０００１】
この考案は、構造体の構築や航空機、車両の保全などを行う際、高所での作業足場に利用される高所作業台に関する。
【背景技術】
【０００２】
構造体の構築や航空機、車両の保全などを行う際、高所での作業足場に利用される高所作業台としては、作業足場となる天板を、移動用の車輪を前方に有する前側支持脚と複数の踏桟を有する梯子状の後側支持脚とで支持した高所作業台が一般に知られている（例えば、特開２００５−２７３３０４号公報参照）。
【０００３】
この種の高所作業台は、前側支持脚を構造体や航空機、車両等の被作業体側に配置した状態で設置され、後側支持脚から天板へ上がり、その天板を作業足場として、構造体の構築や航空機、車両の保全などを行っている。
【考案の概要】
【考案が解決しようとする課題】
【０００４】
この高所作業台は、作業前に被作業体に接近させる必要があり、後側支持脚を持ち上げて、前側支持脚の天板を前方に傾け、車輪を接地させる。車輪を接地させた状態で、高所作業台を被作業体に向かって前向きに移動させる。
【０００５】
この移動時、天板の被作業体側部分（前側部分）が前側支持脚の車輪よりも前方に位置するため、その天板を被作業体にできるだけ接近させた状態で、後側支持脚を接地させると天板が被作業体から離れた状態となる。
【０００６】
このため、さらに天板を被作業体に接近させるために、前側支持脚及び後側支持脚を引きずったり、持ち上げたりして移動させる必要があり、手間と労力が必要となる。
【０００７】
また、高所作業台での作業の進行に伴って、その高所作業台を被作業体に沿って移動させる必要がある。このときは、人員を高所作業台の前後側支持脚にそれぞれ配置して、高所作業台を持ち上げて移動させなければならず、この場合も、手間と労力がかかる。
【０００８】
そこで、高所作業台の移動を容易にするために、前側支持脚及び後側支持脚の左右一対の各支柱にキャスタを取り付けて、各キャスタをばね部材により下方に付勢するようしたものが考えられる。
【０００９】
この各キャスタは、高所作業台の自重で接地し、高所作業台に荷重が掛かると、接地面に押し上げられて、前側支持脚及び後側支持脚の各支柱が接地する。このため、作業の進行に伴って高所作業台を被作業体に沿って移動させる際、作業者が高所作業台から降りることで各キャスタを接地させて、高所作業台を移動させることが可能となる。
【００１０】
しかしながら、ばね部材をキャスタに設ける場合、天板上に作業工具等を収納した工具箱などを載せた状態では、高所作業台に負荷が掛かり、前側支持脚及び後側支持脚が下方に移動して接地する場合があり、キャスタによる移動が困難となることがあった。このため、高所作業台の移動時には、その都度工具箱などを天板上から取り除く必要があり、作業効率が悪くなるとの問題があった。
【００１１】
そこで、この考案の課題は、キャスタが接地した状態で確実に保持させる高所作業台を提供することにある。
【課題を解決するための手段】
【００１２】
上記の課題を解決するために、天板が上下方向の前側支持脚と梯子状の後側支持脚とに支持され、その前側支持脚及び後側支持脚の下部に上下動可能にキャスタが取り付けられた高所作業台であって、
前記前側支持脚が左右一対の支柱とその間に掛け渡される複数の横桟とを備え、前記後側支持脚が左右一対の支柱をその間に掛け渡される複数の踏桟とを備え、その前側支持脚及び後側支持脚の各支柱がその下部に固定される固定片と、その固定片に上下動可能に取り付けられる前記キャスタと、前記固定片に回動可能に取り付けられる上部リンクアームと、その上部リンクアームに上端部が連結され前記キャスタのステムに下端部が回動可能に取り付けられる下部リンクアームとを備え、前記上部リンクアーム及び下部リンクアームは、前記キャスタのステムに沿って上下方向に並ぶ位置を基準として、その上部リンクアームの上部が前後方向に揺動可能となるように連結され、その上部リンクアームの上部が前後方向一方に揺動するとき、前記固定片に形成したストッパに前記上部リンクアームが当たり、前記キャスタが接地可能位置に保持され、前記上部リンクアームの上部が前後方向他方に揺動するとき前記キャスタが上方に移動して前記各支柱が接地可能位置となるようにした構成を採用することができる。
【００１３】
この構成によると、高所作業台を移動させる際、上部リンクアームを前後方向一方に揺動させて、上部リンクアームを固定片のストッパに当てて、キャスタを接地させた状態で保持させる。このとき、高所作業台の自重により接地面からキャスタを上方に移動させる向きに負荷が掛かっても、ストッパにより上部リンクアームの揺動が規制される。この規制によって、キャスタの上方への移動が規制されて、キャスタの接地状態が保持され、高所作業台を所定位置に移動させることができる。
【００１４】
一方、高所作業台を固定する際、上部リンクアームを前後方向他方に揺動させて、キャスタを上方に移動させることで、前側支持脚及び後側支持脚の各支柱を接地させることができる。
【００１５】
前記前側支持脚及び後側支持脚の各支柱のうち、左右方向同じ側の支柱の上部リンクアームが連結軸を介して連結され、連結された両上部リンクアームの上部が、前後方向の同じ側に揺動可能となるようにすることができる。この場合、キャスタの上下動に、前側支持脚及び後側支持脚の各支柱の上部リンクアームの全てを揺動させる必要がなく、前側支持脚または後側支持脚の各支柱の左右の上部リンクアームを揺動させればよく、取り扱いが容易になる。
【００１６】
前記後側支持脚の支柱の上部リンクアームにレバーが固定され、そのレバーが後方に揺動するとき、その上部リンクアームの上部が後方に揺動し、前記固定片のストッパに前記上部リンクアームが当たるようにしたものとすることができる。
【００１７】
このようにすると、レバーを前方に揺動したとき、レバーが後側支持脚から離れて、作業者が後側支持脚を上がる際、レバーが邪魔にならず、かつ各支柱が接地する状態であることがわかりやすくなる。
【考案の効果】
【００１８】
以上のように、この考案は、キャスタが接地した状態で確実に保持させ、その一方で移動や、取り回しを容易に行うことができる。
【図面の簡単な説明】
【００１９】
【図１】この考案に係る高所作業台の実施形態を示す斜視図
【図２】同上の高所作業台の下部拡大斜視図
【図３】同上のキャスタの上方への移動状態を示す拡大正面図
【図４】同上のキャスタの接地状態を示す拡大正面図
【考案を実施するための形態】
【００２０】
以下、この考案に係る高所作業台１０の実施形態を図１〜４に示す。
この高所作業台１０は、図１、図２に示すように、足場となる天板１１と、天板１１を支える前側支持脚１２及び後側支持脚１３と、前側支持脚１２の下部に取り付けられたキャスタ１４と、後側支持脚１３に取り付けられたキャスタ１５を有している。
【００２１】
なお、明細書中において、特に指示がある場合を除いて、「前」とは、高所作業台の使用状態での天板に対して被作業体側を意味し、「後」とは、天板に対して被作業体側と反対側を意味する。また、「左」、「右」とあるのは、前方を見た場合における「左」、「右」をそれぞれ意味する。
【００２２】
天板１１は、図１に示すように、矩形の金属板からなり、その外周縁から下向きに帯状の補強部１１ａが固定されたものである。
【００２３】
天板１１を支える前側支持脚１２は、左右一対の支柱１６と、左右の支柱１６、１６の間に掛け渡された横桟１７及び筋交い１８と、両支柱１６の下部にそれぞれ固定具２０に上下動可能に取り付けられたキャスタ１４とを備えている。
【００２４】
左右の支柱１６、１６は、上下方向に配置され、その上端部が天板１１の左右両側の補強片１１ａの中央位置にそれぞれ下向きに固定されている。支柱１６の上部と、天板１１の両側の補強片１１ａの前側部分との間に筋交い１１ｂが掛け渡され、天板１１の補強がなされる。
【００２５】
また、図２に示すように、前側支持脚１２の下部に前方に突き出す張り出し脚１９が設けられる。張り出し脚１９は、左右の支柱１６の下部からそれぞれ前方に突き出す左右の突出枠部１９ａと、これらの突出枠部１９ａを連結する連結棒１９ｂと、突出枠部１９ａの先端から下方に突き出す脚部１９ｃと、脚部１９ｃに前向きに取り付けられた固定キャスタ１９ｄとを有する。
【００２６】
右側の支柱１６の下部に固定片２０を介して旋回するキャスタ１４が支柱１６よりも後方に上下動可能に取り付けられる。固定片２０は、左右方向外側に設けられた上下方向の筒部２０ａと、筒部２０ａよりも前方に設けられた左右方向外向きの軸状のストッパ２０ｂとを備え、筒部２０ａにキャスタ１４のステム２１が上下方向に挿通可能となっている。
【００２７】
固定片２０の筒部２０ａとキャスタ１４のステム２１とが上部リンクアーム２２及び下部リンクアーム２３により連結され、上部リンクアーム２２と下部リンクアーム２３によりキャスタ１４が固定片２０に対して上下動可能に保持されている。
【００２８】
下部リンクアーム２３は、図３、４に示すように、上部リンクアーム２２よりも短く形成され、下端部がキャスタ１４のステム２１に対して係合軸２４を介して回動可能に取り付けられ、上端部が上部リンクアーム２２の下端部に連結軸２５を介して回動可能に連結される。
【００２９】
上部リンクアーム２２は、その上端部にレバー３９が固定されている。また、上部リンクアーム２２の下部において、固定片２０の筒部２０ａに対して係合軸２６を介して回動可能に取り付けられ、その係合軸２６と下部リンクアーム２３の係合軸２４が、キャスタ１４のステム２１に沿って上下方向に配置される。
【００３０】
この配置により、上部リンクアーム２２及び下部リンクアーム２３は、ステム２１に沿って上下方向に並ぶ位置を基準として、上部リンクアーム２２の上部が前後方向に揺動可能となるように連結される。その前後方向の揺動に伴い、キャスタ１４が固定片２０に対して上下方向に移動する。
【００３１】
上部リンクアーム２２の上部が前方に揺動する状態では、連結軸２５がステム２１に対して後方に移動し、キャスタ１４が支柱１６の下端部よりも上方に移動して、支柱１６が接地可能となる（図３参照）。
【００３２】
一方、上部リンクアーム２２の上部が後方に揺動する状態では、固定片２０のストッパ２０ｂは、その上部リンクアーム２２に突き当たり、キャスタ１４の上方への移動を規制するものである（図４参照）。
【００３３】
ストッパ２０ｂが上部リンクアーム２２に突き当たると、図４に示すように、支柱１６の下端部よりキャスタ１４が下方に位置し、そのキャスタ１４が接地可能となる。なお、ストッパ２０ｂは、下部リンクアーム２３に突き当たるようにしてもよく、要は、キャスタ１４が接地する位置で、連結軸２５の前方への移動を規制するものであればよい。
【００３４】
また、ストッパ２０ｂとしては、固定片２０の筒部２０ａよりも後方に設けてもよく、この場合、上部リンクアーム２２の上部が前方に揺動する状態で、上部リンクアーム２２に突き当たり、キャスタ１４の上方への移動を規制する。
【００３５】
前側支持脚１２において、左側の支柱１６も固定片２０を介してキャスタ１４が取り付けられ、右側の支柱１６と同様の構造を備えている。すなわち、固定片２０の筒部２０ａとキャスタ１４のステム２１とが上部リンクアーム２２及び下部リンクアーム２３により連結され、上部リンクアーム２２と下部リンクアーム２３によりキャスタ１４が固定片２０に対して上下動可能に保持されている。
【００３６】
天板１１を支える後側支持脚１３は、左右一対の支柱３０、３０と、左右の支柱３０、３０の間に掛け渡された複数の踏桟３１、３１・・とを備え、梯子状に形成されている。左右の支柱３０の上端部が、天板１１の両側補強片１１ａの後端部にそれぞれ固定されている。
【００３７】
左右の支柱３０は下方に向かうに従って後方へ傾斜するように配置され、各踏桟３１は、上面が天板１１の上面と平行となるように配置されている。また、右側の支柱３０は、前側支持脚１２の右側の支柱１６との間に連結柱２８が掛け渡されている。また、左側の支柱３０も、同様に、前側支持脚１２の左側の支柱１６との間に連結柱２８が掛け渡されている。
【００３８】
右側の支柱３０の下部に固定片３２を介して旋回するキャスタ１５が支柱３０によりも前方に上下動可能に取り付けられる。固定片３２は、左右方向外側に設けられた上下方向の筒部３２ａと、筒部３２ａよりも前方に設けられた左右方向外向きの軸状のストッパ３２ｂとを備え、筒部３２ａにキャスタ１５のステム３３が上下方向に挿通可能となっている。
【００３９】
固定片３２の筒部３２ａとキャスタ１５のステム３３とが上部リンクアーム３４及び下部リンクアーム３５により連結され、上部リンクアーム３４と下部リンクアーム３５によりキャスタ１５が固定片３２に対して上下動可能に保持されている。
【００４０】
下部リンクアーム３５は、図３、４に示すように、上部リンクアーム３４よりも短く形成され、下端部がキャスタ１５のステム３３に対して係合軸３６を介して回動可能に取り付けられ、上端部が上部リンクアーム３４の下端部に連結軸３７を介して回動可能に連結される。
【００４１】
上部リンクアーム３４は、その上端部にレバー３９が固定されている。また、上部リンクアーム３４の下部において、固定片３２の筒部３２ａに対して係合軸３８を介して回動可能に取り付けられ、その係合軸３８と下部リンクアーム３５の係合軸３６が、キャスタ１５のステム３３に沿って上下方向に配置される。この配置により、上部リンクアーム３４及び下部リンクアーム３５は、ステム３３に沿って上下方向に並ぶ位置を基準として、上部リンクアーム３４の上部が前後方向に揺動可能となるように連結される。その前後方向の揺動に伴い、キャスタ１５が固定片３２に対して上下方向に移動する。
【００４２】
上部リンクアーム３４の上部が前方に揺動する状態では、連結軸３７がステム３３に対して後方に移動し、キャスタ１５が支柱３０の下端部よりも上方に移動して、支柱３０が接地可能となる（図３参照）。
【００４３】
一方、上部リンクアーム３４の上部が後方に揺動する状態において、固定片３２のストッパ３２ｂは、その上部リンクアーム３４に突き当たり、キャスタ１５の上方への移動を規制するものである（図４参照）。
【００４４】
ストッパ３２ｂが上部リンクアーム３４に突き当たると、図４に示すように、支柱３０の下端部よりキャスタ１５が下方に位置し、そのキャスタ１５が接地可能となる。なお、ストッパ３２ｂは、下部リンクアーム３５に突き当たるようにしてもよく、要は、キャスタ１５が接地する位置で、連結軸３７の前方への移動を規制するものであればよい。
【００４５】
また、ストッパ３２ｂとしては、固定片３２の筒部３２ａよりも後方に設けてもよく、この場合、上部リンクアーム３４の上部が前方に揺動する状態で、上部リンクアーム３４に突き当たり、キャスタ１５の上方への移動を規制する。
【００４６】
後側支持脚１３において、左側の支柱３０も固定片３２を介してキャスタ１５が取り付けられ、右側の支柱１６と同様の構造を備えている。すなわち、固定片３２の筒部３２ａとキャスタ１５のステム３３とが上部リンクアーム３４及び下部リンクアーム３５により連結され、上部リンクアーム３４と下部リンクアーム３５によりキャスタ１５が固定片３２に対して上下動可能に保持されている。
【００４７】
また、左右両側において、前側支持脚１２における上部リンクアーム２２と、後側支持脚１３における上部リンクアーム３４とが連結棒２７により連結され、これらの上部リンクアーム２２、３４の上部が、前後方向の同一側に揺動可能となる。なお、これらの上部リンクアーム２２、３４は、連結棒２７を介して連結せずに、独立してその上部を前後方向に揺動可能とすることもできる。
【００４８】
この実施形態の高所作業台の使用方法を説明する。
まず、図４に示すように、高所作業台の左右両側のレバー３９をそれぞれ後方に移動させて、上部リンクアーム２２、３４の上部を後方に移動させる。これにより、キャスタ１４、１５を接地させ、高所作業台１０を構造体や航空機、車両などの被作業体に対して接近させ、作業可能な位置で停止させる。
【００４９】
高所作業台１０の停止後、左右両側のレバー３９を前方に移動させて、上部リンクアーム２２、３４の上部を前方に移動させる。これにより、キャスタ１４、１５を支柱１６、３０の下端部よりも上方に移動させて、支柱１６、３０を接地させる。
【００５０】
その後、作業員が後側支持脚１３を上がり天板１１上で作業を行う。さらに、作業の進行に伴い、被作業体に沿って高所作業台１０を移動させる必要がある。この場合では、作業員が天板１１から後側支持脚１３を降りて、再度、左右両側のレバー３９をそれぞれ後方に移動させ、上部リンクアーム２２、３４の上端部を後方に移動させる。
【００５１】
この後方へのレバー３９の操作により、キャスタ１４、１５を接地させて、高所作業台１０を被作業体に沿って移動させることができる。このとき、ストッパ２０ｂ、３２ｂにより、上部リンクアーム２２、３４の上端部のさらなる前方への揺動が規制されるので、キャスタ１４、１５は接地状態で保持される。接地状態が保持されることで、天板１１上に工具箱を載せたまま、高所作業台１０を移動させることができる。
【００５２】
高所作業台１０を被作業体に沿って移動させた後、左右のレバー３９を後方に操作して、上部リンクアーム２２、３４の上部を後方に移動させて、支柱１６、３０を接地させ、作業を再開する。
【００５３】
作業終了後は、後方へのレバー３９の操作により、キャスタ１４、１５を接地させ、その接地状態を保持させて、高所作業台１０を所定箇所に移動させ、保管させる。
【符号の説明】
【００５４】
１０  高所作業台
１１  天板
１１ａ  補強片
１１ｂ  筋交い
１２  前側支持脚
１３  後側支持脚
１４  キャスタ
１５  キャスタ
１６  支柱
１７  横桟
１８  筋交い
１９  張り出し脚
２０  固定片
２０ａ  筒部
２０ｂ  ストッパ
２１  ステム
２２  上部リンクアーム
２３  下部リンクアーム
２４  係合軸
２５  連結軸
２６  係合軸
２７  連結棒
２８  連結柱
３０  支柱
３１  踏桟
３２  固定片
３２ａ  筒部
３２ｂ  ストッパ
３３  ステム
３４  上部リンクアーム
３５  下部リンクアーム
３６  係合軸
３７  連結軸
３８  係合軸
３９  レバー
【図１】
0003185610.tif 000003
【図２】
0003185610.tif 000004
【図３】
0003185610.tif 000005
【図４】
0003185610.tif 000006